(57)【要約】【課題】安定動作を維持する揺動機構と、搬送機構とを有し、メンテナンスの容易な湿式洗浄装置を提供する。【解決手段】洗浄槽１９と、洗浄槽１９の上部で昇降可能に設けられて中央部が開口して洗浄槽１９が開口した中央部を通過するように洗浄槽１９の周囲に枠状に延在した上下動板１２と、上下動板１２に着脱可能に設けて上下動する推力を伝達する昇降手段１８と、上下動板１２の上部両側に設けられて被洗浄物を搬送する搬送手段１６と、搬送手段１６を駆動させる駆動源１８と、上下動板１２の上部両側の搬送手段１６に載置して搬送する両側の側部と上部とを一体成形した枠体２２と、枠体２２の上部から中央に吊設されて被洗浄物を吊した状態に設置する設置部２４と、設置部２４が洗浄槽１９に浸漬されると設置部２４を揺動させる揺動手段３０とを有し、揺動手段３０は、偏芯カム３２とカムフォロア３５とモーター３７とを具備する。【選択図】      図１
2009178677.tif 000002
【特許請求の範囲】
【請求項１】
被洗浄物を洗浄槽の上部に自動的に搬送して、槽内に浸漬させて洗浄する湿式洗浄装置において、
前記洗浄槽と、
前記洗浄槽の上部で昇降可能に設けられて中央部が開口して前記洗浄槽が前記開口した中央部を通過するように前記洗浄槽の周囲に枠状に延在した上下動板と、
前記上下動板に着脱可能に設けて上下動する推力を伝達する昇降手段と、
前記上下動板の上部両側に設けられて前記被洗浄物を搬送する搬送手段と、
前記搬送手段を駆動させる駆動源と、
前記上下動板の上部両側の前記搬送手段に載置して搬送する両側の側部と上部とを一体成形した枠体と、
前記枠体の上部から中央に吊設されて前記被洗浄物を吊した状態に設置する設置部と、
前記設置部が前記洗浄槽に浸漬されると前記設置部を揺動させる揺動手段とを有し、前記揺動手段は、偏芯カムとカムフォロアとモーターとを具備することを特徴とする湿式洗浄装置。
【請求項２】
前記搬送手段を駆動させる駆動源は、前記枠体が前記搬送手段に搬入されて搬出される前記搬送手段の搬出側に配備されることを特徴とする請求項１に記載の湿式洗浄装置。
【請求項３】
前記搬送手段は搬送ベルトをガイドするベルト受け板を具備し、
前記ベルト受け板は、前記搬送ベルトが撓んだとき、前記搬送ベルトのベルト面が接触する底板と、前記搬送ベルトの両端が接触する前記底板の両側に設置された側板とを有し、
前記底板は、ベルト面が接触する面積を減らすためのスリットを有することを特徴とする請求項１又は２に記載の湿式洗浄装置。
【請求項４】
請求項１乃至３のいずれかに記載の湿式洗浄装置において、
前記湿式洗浄装置は、前記洗浄槽、前記上下動板、前記昇降手段、前記搬送手段、前記駆動源、及び前記揺動手段を中空で囲い込み内蔵する箱状のモジュール本体を有し、前記モジュール本体は、上部、下部の２つに分割されて前記上部が開放可能であることを特徴とする湿式洗浄装置。
【発明の詳細な説明】
【技術分野】
【０００１】
本発明は、洗浄を支援する洗浄支援手段に係り、詳しくは、洗浄効果を高めるため、被洗浄物を揺動する揺動手段を具備した湿式洗浄装置に関する。
【背景技術】
【０００２】
図３は、特許文献１の湿式処理装置の構成を示す装置構成図である。図３において、湿式処理装置は、被処理物を洗浄する洗浄槽１９と、この洗浄槽１９の上部で昇降可能に設けられて中央部が開口して洗浄槽１９が開口した中央部を通過するように洗浄槽１９の周囲に枠状に延在した上下動板１２と、この上下動板１２に着脱可能に設けて上下動する推力を伝達する昇降手段１４と、上下動板１２の上部両側に設けられて被処理物を搬送する搬送手段１６と、この搬送手段１６を駆動させる駆動源１８とを有している。
【０００３】
また湿式処理装置は、上下動板１２の上部両側の搬送手段１６に載置して搬送する両側の側部と上部とを一体成形した枠体２２と、この枠体２２の上部から中央に吊設されて被処理物を吊した状態に設置する設置部２４とを有している。さらに湿式処理装置の洗浄槽１９、上下動板１２、昇降手段１４、搬送手段１６、及び駆動源１８は、中空で周囲を囲む箱状のモジュール本体１０内に内蔵され、常に清浄な状態を維持している。
【０００４】
上下動板１２は昇降可能に支持されており、この上下動板１２に昇降手段１４を取り付けることで、被処理物を昇降できるように形成されている。これにより、上下動板１２が降下すると、設置部２４に載置された被処理物は洗浄槽１９内の中央部を通過し、処理液に浸漬させることができる。
【０００５】
この昇降手段１４は、上下動板１２に上下動する推力を伝達可能なモータまたはシリンダなどからなる上下動機構により構成される。図３にはモータによる場合が示されており、モータの回転軸には螺旋状のネジ部が形成され、このネジ部に螺合して昇降する昇降板を有し、この昇降板は上下動板１２に着脱可能に設けられている。
【０００６】
一方シリンダによる場合も同様に、上下動するシリンダの軸の先端を上下動板１２に着脱可能に設けられている。このように上下動板１２に着脱することで、モータ又はシリンダの両方の付け替えを可能とし、被処理物の洗浄方法又は重量に応じて、適宜選択され取り替えられる。また、昇降手段１４は、上下動板１２の昇降時に、上下方向の可変範囲での揺動動作を併せ持つことができるため、より効果的な洗浄効果を得ることが可能となる。
【０００７】
また、上下動板１２には、上部に枠体２２を載置して搬送する搬送手段１６が上面両側にレール状に取り付けて設けられている。この搬送手段１６は、枠体２２を次の処理工程に水平搬送する回転式ローラ、チェーン、ベルトなどの無限軌道の搬送機構により形成されている。図３には、搬送ベルトによる場合が示されており、搬送手段１６は、上下動板１２上の両側に設けた搬送ベルトをお互いに連結して回転駆動させる回転軸１６ａを備え、この回転軸１６ａの一端に駆動源１８を接続することで駆動するように形成している。
【０００８】
この際、搬送手段１６は、回転軸１６ａを駆動源１８に磁力継手１８ａを介して接続されて駆動し、駆動源１８が上下動板１２の昇降動作と同時に昇降せず磁力継手１８ａを切り離せるように設けている。これにより搬送手段１６は、上下動板１２の昇降時に駆動源１８がモジュール本体１０内で同時に昇降するスペースを少なくできると共に、搬送時の駆動伝達における突然の過負荷による防止時にも切り離せる過負荷防止機構を併せ持つように形成できる。
【特許文献１】特開２００７−９１４６４号公報
【０００９】
ところが図３における湿式処理装置の昇降手段１４は、上下動板１２の昇降時に、上下方向の可変範囲での揺動動作を併せ持ち、より効果的な洗浄を可能とするが、モータ又はシリンダで構成されているため、繰り返しの速い上下動作の応答が悪く、トラブルの原因となり、モータ又はシリンダの寿命が短くなる問題があった。
【００１０】
また、図３に示されるように、枠体２２が方向Ａで示される搬入側に搬送手段１６の駆動源１８が配置され、方向Ｂで示される回転方向に搬送手段１６の搬送ベルトを駆動しているため、枠体２２を引き寄せるのではなく、送り出す搬送となっている。このため、搬送時にベルトの伸びなどによる撓みが生じ、搬送トラブルを生じる問題があった。さらに、搬送手段１６には搬送ベルトのガイド機構が無いため、搬送時にベルトの撓みによる蛇行が生じる問題があった。モジュール本体１０は、内部の状態を常に清浄に維持するため、最小限の扉が設けられているだけで（図示されず）メンテナンススペースが狭く、作業が難しい問題があった。
【発明の開示】
【発明が解決しようとする課題】
【００１１】
本発明は、このような問題を解決するためになされたものであり、その目的は、安定動作を維持する揺動機構と、搬送機構とを有し、メンテナンスの容易な湿式洗浄装置を提供することにある。
【課題を解決するための手段】
【００１２】
本発明の湿式洗浄装置は、被洗浄物を洗浄槽の上部に自動的に搬送して、槽内に浸漬させて洗浄する湿式洗浄装置において、洗浄槽と、洗浄槽の上部で昇降可能に設けられて中央部が開口して洗浄槽が開口した中央部を通過するように洗浄槽の周囲に枠状に延在した上下動板と、上下動板に着脱可能に設けて上下動する推力を伝達する昇降手段と、上下動板の上部両側に設けられて被洗浄物を搬送する搬送手段と、搬送手段を駆動させる駆動源と、上下動板の上部両側の搬送手段に載置して搬送する両側の側部と上部とを一体成形した枠体と、枠体の上部から中央に吊設されて被洗浄物を吊した状態に設置する設置部と、設置部が洗浄槽に浸漬されると設置部を揺動させる揺動手段とを有し、揺動手段は、偏芯カムとカムフォロアとモーターとを具備することを特徴とする。
【００１３】
本発明の湿式洗浄装置の搬送手段を駆動させる駆動源は、枠体が搬送手段に搬入されて搬出される搬送手段の搬出側に配備されることを特徴とする。
【００１４】
本発明の湿式洗浄装置の搬送手段は、搬送ベルトをガイドするベルト受け板を具備し、ベルト受け板は、搬送ベルトが撓んだとき、搬送ベルトのベルト面が接触する底板と、搬送ベルトの両端が接触する底板の両側に設置された側板とを有し、底板は、ベルト面が接触する面積を減らすためのスリットを有することを特徴とする。
【００１５】
本発明の湿式洗浄装置は、洗浄槽、上下動板、昇降手段、搬送手段、駆動源、及び揺動手段を中空で囲い込み内蔵する箱状のモジュール本体を有し、モジュール本体は、上部、下部の２つに分割されて上部が開放可能であることを特徴とする。
【発明の効果】
【００１６】
本発明によれば、揺動機構と搬送機構とは、安定した動作を維持することが可能となり、且つ、十分なメンテナンススペースが確保される。これにより、安定動作を維持する揺動機構と、搬送機構とを有し、メンテナンスの容易な湿式洗浄装置を提供することが可能となる。
【発明を実施するための最良の形態】
【００１７】
本発明の実施の形態について、図を用いて説明する。図１は、本発明による湿式洗浄装置の構成を示す構成図である。図１において、上下動板１２に着脱可能に設けて上下動する推力を伝達する昇降手段１４は、枠体２２が搬入される方向Ａ側に配置され、搬送手段１６の駆動源１８は、枠体２２が搬出される側に配置され、上下動板１２の上部両側に設けられて被処理物を搬送する搬送手段１６は、搬送ベルトをガイドするベルト受け板４０（図示せず）を具備しているところが、図３と異なっている。また、昇降手段１４の配置は、枠体２２が搬入される方向Ａ側に限定されず、駆動源１８は、回転軸１６ａに直結されても良い。
【００１８】
また、モジュール本体１１は、上下２つに分割されて開放可能である（図示せず）ところが、図３と異なっている。さらに、本発明による湿式洗浄装置は、揺動手段３０を有しており、揺動手段３０は、偏芯カム３０とカムフォロア３５とモーター３２とを具備している。図２は、本願発明の湿式洗浄装置のベルト受け板の構造を示す構造図である。図２において、ベルト受け板４０は、搬送ベルトが伸びたとき、搬送ベルトのベルト面が接触する底板４２と、搬送ベルトが伸びて撓んだとき、両端が接触する底板の両側に設置された側板４４とを有し、底板４２は、ベルト面が接触する面積を減らすためのスリット４６を有している。
【００１９】
再び図１において、枠体２２が方向Ａから搬送手段１６の搬入側に搬入されると、駆動源１８は枠体２２が搬出される側に配置され、方向Ｂで示される回転方向に搬送ベルトを駆動しているため、枠体２２は、駆動源１８に引き寄せられる方向にドライブされて搬出される。このため、搬送時にベルトの伸びなどが生じても、枠体２２を搬送している側のベルトに撓みは発生せず、撓みによる搬送トラブルを生じることはない。
【００２０】
また、図２に示される搬送手段１６のベルト受け板４０は、搬送ベルトの伸びたベルト面を底板４２に接触させることで撓みの発生を抑止することができる。さらに、撓みが発生しても、搬送ベルトの両端を側板４４に接触させることで、撓みの増幅が防止される。底板４２は、ベルト面が接触する面積を減らすためのスリット４６を有している。このため、接触により生じる摩擦抵抗が軽減されることにより、駆動源１８の駆動力を損なうことは無い。側板４４は、方向Ａで示される枠体２２が搬入される側がテーパー形状を有している。このため、搬送されてきた枠体２２が側板４４に衝突し、搬送が停止するトラブルを軽減することができる。
【００２１】
揺動手段３０は、昇降手段１４の近傍に配置されている。昇降手段１４が上下動板１２を降下させて設置部２４を洗浄槽１９の中央部に浸漬するまで降下させると、揺動手段３０のカムフォロア３５はこの上下動板１２を受け止める。このとき、昇降手段１４は所定の位置までさらに降下する。カムフォロア３５が上下動板１２を受け止めると、偏芯カム３２はモーター３７により回転駆動され、所定のストロークでカムフォロア３５を上下させ設置部２４を揺動する。
【００２２】
偏芯カム３２やモーター３７を交換することにより、揺動ストローク、揺動速度、設置部２４の負荷の変化等に合わせて対応することが可能であり、トラブルの原因が無くなり、モーターの寿命も延びる。モジュール本体１１は、上下２つに分割されているため、動作条件に対応した部品交換時や搬送系及び洗浄槽のメンテナンスのとき上側が開放されるため、作業スペースを十分確保することが可能となる。
【００２３】
以上説明したように本発明によれば、偏芯カムによる揺動機構及び駆動源の最適配置とベルト受け板を有する搬送機構により、安定した洗浄プロセスが可能となり、且つ、上下２つに分割されたモジュール本体により、十分なメンテナンススペースが確保される。これにより、安定した洗浄プロセスにより高い洗浄効率が得られ、且つ、メンテナンスの容易な湿式洗浄装置を提供することが可能となる。
【図面の簡単な説明】
【００２４】
【図１】本発明による湿式洗浄装置の構成を示す構成図。
【図２】本発明による湿式洗浄装置のベルト受け板の構造を示す構造図。
【図３】従来の湿式処理装置の構成を示す装置構成図。
【符号の説明】
【００２５】
１１  モジュール本体
１２  上下動板
１４  昇降手段
１６  搬送手段
１６ａ  回転軸
１８  駆動源
１８ａ  磁力継手
１９  洗浄槽
２２  枠体
２４  設置部
３０  揺動手段
３２  偏芯カム
３５  カムフォロア
３７  モーター
４０  ベルト受け板
４２  底板
４４  側板
４６  スリット
Ａ  搬送方向
Ｂ  回転方向
【図１】
2009178677.tif 000003
【図２】
2009178677.tif 000004
【図３】
2009178677.tif 000005